(57)【要約】【課題】液体を遮断する水切り板に、手に付着した液体をスムーズに流すことで、当該液体が衣服の袖に付着するのを防止できる水切り具を提供すること。【解決手段】水切り具１は、弾性変形可能な円柱状体１１が湾曲されて、長径方向の一端側に開口部１２を有する正面視楕円形状に形成され、開口部１２から手首に装着され、手首を挟持する装着部１０と、装着部１０の長径方向の他端側に基端が接続され、装着部１０の開口部１２が設けられた方向と反対方向に延出し、装着部１０より下方に配置される水切り板２０と、を備え、水切り板２０の長さは、装着部１０の長径方向の内径以上外径以下であり、水切り板２０の基端における幅は、装着部１０の短径方向の外径以下内径以上である。【選択図】図１
0003176806.tif 000002
【実用新案登録請求の範囲】
【請求項１】
手首に装着され、手に付着した液体が腕に流れるのを遮断する水切り具であって、
弾性変形可能な円柱状体が湾曲されて、長径方向の一端側に開口部を有する正面視楕円形状に形成され、前記開口部から前記手首に装着され、前記手首を挟持する装着部と、
前記装着部の長径方向の他端側に基端が接続され、前記装着部の前記開口部が設けられた方向と反対方向に延出し、装着部より下方に配置される水切り板と、を備え、
前記水切り板の長さは、前記装着部の長径方向の内径以上外径以下であり、
前記水切り板の前記基端における幅は、前記装着部の短径方向の外径以下内径以上である水切り具。
【請求項２】
前記装着部の前記円柱状体の両端部は、前記開口部を挟んで互いに対向した配置され、
前記円柱状体の一端に接続され、前記円柱状体の他端側に延出する弾性変形可能な板状体で形成されたバンド部と、
前記円柱状体の他端近傍に設けられた突起部と、を更に備え、
前記バンド部には、延出方向に沿って配列され、前記突起部と係合する複数の孔が形成された請求項１に記載の水切り具。
【考案の詳細な説明】
【技術分野】
【０００１】
本考案は、水切り具に関し、特に、手首に装着され、手に付着した液体が腕に流れるのを遮断する水切り具に関する。
【背景技術】
【０００２】
従来、洗面等により手に水等の液体が付着すると、この液体は、手から手首を伝って腕に流れ、衣服の袖に付着することがあった。このように、衣服の袖に液体が付着すると不快であるため、洗面等により手に液体が付着するときには袖を捲くり上げる。ところが、ワイシャツ等のように袖口がボタン等で留められている衣服は、容易に袖を捲くり上げることができない。
【０００３】
そこで、手首の外周より一回り大きく、且つ馬蹄形状に湾曲加工した形状復元を有する帯状平板の内側に、肉厚のスポンジシートを貼り付けてあり、該帯状平板の両端部近傍は外側に湾曲し、中央部近傍は外側に帯状に沿って突起を有する手首水垂れ防止具が提案されている（特許文献１を参照）。
【０００４】
この特許文献１の手首水垂れ防止具によれば、手に付着した液体は、スポンジシートに吸収されるか、帯状平板の中央部近傍は外側における突起により遮断されるので、この液体が手首を伝って腕に流れ、衣服の袖に付着するのを防止できる。
【先行技術文献】
【特許文献】
【０００５】
【特許文献１】特開２００２−８８５３５号公報
【考案の概要】
【考案が解決しようとする課題】
【０００６】
しかしながら、特許文献１の手首水垂れ防止具は、手首に装着される部材が帯状平板である。このため、手に付着した液体は、スムーズに突起に流れず、突起が設けられていない帯状平板の中央部近傍以外の部分に回り込み、衣服の袖に付着する場合があった。
【０００７】
本考案は、液体を遮断する水切り板に、手に付着した液体をスムーズに流すことで、当該液体が衣服の袖に付着するのを防止できる水切り具を提供することを目的とする。
【課題を解決するための手段】
【０００８】
（１）  手首に装着され、手に付着した液体が腕に流れるのを遮断する水切り具であって、弾性変形可能な円柱状体が湾曲されて、長径方向の一端側に開口部を有する正面視楕円形状に形成され、前記開口部から前記手首に装着され、前記手首を挟持する装着部と、前記装着部の長径方向の他端側に基端が接続され、前記装着部の前記開口部が設けられた方向と反対方向に延出し、装着部より下方に配置される水切り板と、を備え、前記水切り板の長さは、前記装着部の長径方向の内径以上外径以下であり、前記水切り板の前記基端における幅は、前記装着部の短径方向の外径以下内径以上である水切り具。
【０００９】
（１）の構成によれば、装着部は、弾性変形可能な円柱状体が湾曲されて、長径方向の一端側に開口部を有する正面視楕円形状に形成され、開口部から手首に装着され、手首を挟持する。水切り板は、装着部の長径方向の他端側に基端が接続され、装着部の開口部が設けられた方向と反対方向に延出し、装着部より下方に配置される。
これにより、装着部を手首に装着した状態で、手に液体が付着すると、この液体は、まず、装着部に達する。このとき、装着部は円柱状体で形成されているので、液体はスムーズにこの円柱状体を伝い下方に流れ水切り板に達する。即ち、手に付着した液体は、腕の方に流れた場合、水切り板により遮断される。
【００１０】
また、水切り板の長さを装着部の長径方向の内径以上外径以下とし、水切り板の基端における幅を装着部の短径方向の外径以下内径以上としたので、水切り板に達した液体が水切り板を越えて腕側に回り込むのを防止できる。
したがって、液体を遮断する水切り板に、手に付着した液体をスムーズに流すことで、当該液体が衣服の袖に付着するのを防止できる。
【００１１】
（２）  前記装着部の前記円柱状体の両端部は、前記開口部を挟んで互いに対向した配置され、前記円柱状体の一端に接続され、前記円柱状体の他端側に延出する弾性変形可能な板状体で形成されたバンド部と、前記円柱状体の他端近傍に設けられた突起部と、を更に備え、前記バンド部には、延出方向に沿って配列され、前記突起部と係合する複数の孔が形成された（１）に記載の水切り具。
【００１２】
（２）の構成によれば、バンド部は、円柱状体の一端に接続され、円柱状体の他端側に延出する弾性変形可能な板状体で形成される。突起部は、円柱状体の他端近傍に設けられる。また、バンド部には、延出方向に沿って配列され、突起部と係合する複数の孔が形成される。
これにより、使用者は、装着部を手首に装着し、開口部を跨いでバンド部の孔を突起部に係合させることで、装着部をより手首に密着させることが可能となり、装着部と手首との間において、液体が手側から腕側に回り込むのを防止できる。
また、複数の孔をバンド部の延出方向に沿って配列したので、手首の太さに応じた適宜な孔と突起部とを係合できる。
【考案の効果】
【００１３】
本考案によれば、液体を遮断する水切り板に、手に付着した液体をスムーズに流すことで、当該液体が衣服の袖に付着するのを防止できる水切り具を提供できる。
【図面の簡単な説明】
【００１４】
【図１】本考案の一実施形態に係る水切り具の正面図である。
【図２】前記実施形態に係る水切り具の側面図である。
【図３】前記実施形態に係る水切り板に付された図柄の一例を示す図である。
【図４】前記実施形態に係る水切り具を手首に装着した場合における、手に付着した液体の流れを説明する図である。
【考案を実施するための形態】
【００１５】
本考案の実施形態に係る水切り具１の構成を図面に基づいて説明する。図１は、本考案の一実施形態に係る水切り具１の正面図である。
図２は、前記実施形態に係る水切り具１の側面図である。
【００１６】
水切り具１は、手首に装着され、手に付着した液体が腕に流れるのを遮断する。
水切り具１は、手首に装着され、手首を挟持する装着部１０と、装着部１０に基端が接続され、装着部１０より下方に配置される水切り板２０と、装着部１０とともに手首を囲む固定部３０と、を備える。
【００１７】
装着部１０は、弾性変形可能な円柱状体１１が湾曲されて、長径方向一端側に開口部１２を有する正面視楕円形状に形成されている。また、装着部１０の円柱状体１１の一端部１１ａと他端部１１ｂとは、開口部１２を挟んで互いに対向した配置されている。
【００１８】
水切り板２０は、装着部１０の長径方向他端側に基端が接続され、装着部１０の開口部１２が設けられた方向と反対方向に延出する。また、水切り板２０の長さは、装着部１０の長径方向の内径以上外径以下である。また、水切り板２０の幅は、基端において装着部１０の短径方向の外径以下内径以上であり、基端から先端に向かって徐々に狭くなる。
【００１９】
図３は、前記実施形態に係る水切り板２０に付された図柄の一例を示す図である。
図３に示すように、水切り板２０には、例えば、パンダ等の幼児が興味を示す図柄を付することもできる。このように、例えば、幼児が興味を示す図柄及び蛍光カラーを付すことで、幼児に水切り具１を装着することを促すことができる。
【００２０】
固定部３０は、弾性変形可能な板状体で形成されたバンド部３１と、バンド部３１と係合する突起部３２と、を備える。なお、本実施形態において、水切り具１は固定部３０を備えるが、水切り具１は、固定部３０を備えず、円柱状体１１の弾性力だけで、手首に装着されてもよい。
【００２１】
バンド部３１は、円柱状体１１の一端部１１ａに接続され、円柱状体１１の他端部１１ｂ側に延出する。また、バンド部３１には、延出方向に沿って配列され、突起部３２と係合する複数の孔３１ａと、バンド部３１の先端において、断面形状が半円形状に形成された摘み部３１ｂと、を有する。
突起部３２は、円柱状体１１の表面から突出して形成されている。
【００２２】
次に、本考案の実施形態に係る水切り具１の装着手順について説明する。
使用者は、まず、装着部１０を手首に装着する。そして、使用者は、バンド部３１の摘み部３１ｂを把持し、開口部１２を跨いで、自分の手首に回し、手首の太さに合った位置の孔３１ａを突起部３２に係合させる。これにより、装着部１０をより手首に密着させた状態で装着することが可能となり、装着部１０と手首との間において、液体が手側から腕側に回り込むのを防止できる。
また、複数の孔３１ａをバンド部３１の延出方向に沿って配列したので、手首の太さに応じた適宜な孔３１ａと突起部３２とを係合できる。
【００２３】
次に、本考案の実施形態に係る水切り具１の作用効果について説明する。
図４は、前記実施形態に係る水切り具１を手首５０に装着した場合における、手６０に付着した液体６５の流れを説明する図である。
図４に示すように、水切り具１の装着部１０を手首５０に装着した状態で、手６０に液体６５が付着すると、液体６５は、まず、装着部１０に達する。このとき、装着部１０は円柱状体１１で形成されているので、液体６５はスムーズに円柱状体１１を伝い下方に流れ水切り板２０に達する。即ち、手６０に付着した液体６５は、腕７０の方に流れた場合、水切り板２０により遮断される。
また、水切り板２０の長さを装着部１０の長径方向の内径以上外径以下とし、水切り板２０の基端における幅を装着部の短径方向の外径以下内径以上としたので、水切り板２０に達した液体６５が水切り板２０を越えて腕７０側に回り込むのを防止できる。
したがって、液体を遮断する水切り板に、手に付着した液体をスムーズに流すことで、当該液体が衣服の袖に付着するのを防止できる。
【００２４】
この水切り具１（リストバンド）には、金属を一切使用しておらず、幼児に危険を及ぼすこともなく、顔を洗うことが簡単にできて、環境にもやさしく形成されたバンドである。
【００２５】
なお、本考案は前記実施形態に限定されるものではなく、本考案の目的を達成できる範囲での変形、改良等は本考案に含まれるものである。
【符号の説明】
【００２６】
１    水切り具
１１  円柱状体
１２  開口部
１０  装着部
２０  水切り板
【図１】
0003176806.tif 000003
【図２】
0003176806.tif 000004
【図３】
0003176806.tif 000005
【図４】
0003176806.tif 000006